(57)【要約】【課題】柱の外周の補強パネルを設置し、補強パネル内にグラウトを充填する方法により耐震補強し、耐震補強した柱の仕上げ行う際に、補強を行った柱の径を抑える。【解決手段】上下方向複数段に亘って、複数の補強パネル１０を補強対象の柱１を取り囲むように環状に水平方向に連結し、かつ、上下に位置する補強パネル１０を連結し、連結した補強パネル１０と柱１の隙間にグラウトを注入することにより補強を施す方法において、補強パネル１０に取付部材３０を取り付けておき、この取付部材３０に仕上げ材５０を取り付ける【選択図】図１１
2010059675.tif 000002
【特許請求の範囲】
【請求項１】
上下方向複数段に亘って、複数の補強パネルを補強対象の柱を取り囲むように環状に水平方向に連結し、かつ、上下に位置する前記補強パネルを連結し、前記連結した補強パネルと前記柱の隙間にグラウト材を注入することにより補強を施した柱の仕上げ方法であって、
仕上げ材を取り付けるための取付部材を、少なくとも一部の前記補強パネルの外周面に取り付けておき、
前記取付部材に仕上げ材を取り付けることを特徴とする補強を施した柱の仕上げ方法。
【請求項２】
上下方向複数段に亘って、複数の補強パネルを補強対象の柱を取り囲むように環状に水平方向に連結し、かつ、上下に位置する前記補強パネルを連結し、前記連結した補強パネルと前記柱の隙間にグラウト材を注入することにより補強を施した柱に仕上げ材を取り付ける構造であって、
少なくとも一部の前記補強パネルの外周面に取り付けられた取付部材を備え、
前記取付部材に前記仕上げ材が取り付けられていることを特徴とする補強を施した柱の仕上げ材の取付構造。
【請求項３】
請求項２記載の補強を施した柱の仕上げ材の取付構造であって、
前記取付部材は、板材を挟み込み可能な取付部を備え、
前記取付部により前記補強パネルの上方の縁を挟みこむことで前記補強パネルに取り付けられていることを特徴とする柱の仕上げ材の取付構造。
【請求項４】
請求項２記載の補強を施した柱の仕上げ材の取付構造であって、
前記取付部材は、前記補強パネルにビス止めされていることを特徴とする柱の仕上げ材の取付構造。
【請求項５】
請求項２記載の補強を施した柱の仕上げ材の取付構造であって、
前記取付部材は、前記補強パネルに接着剤により取り付けられていることを特徴とする柱の仕上げ材の取付構造。
【発明の詳細な説明】
【技術分野】
【０００１】
本発明は、外周に水平方向に複数に分割した補強パネルを配置し、この補強パネル内にグラウトを充填することにより補強を行った柱の仕上げ方法に関する。
【背景技術】
【０００２】
従来より、柱を耐震補強する方法として、筒状に形成された鋼板が複数に分割されてなる補強パネルを、耐震補強の対象となる柱の外周に上下方向複数段に亘って配置し、これら補強パネルを接続した後、補強パネル内にグラウトを充填して鋼板パネルを柱と一体化させる方法が用いられている（例えば、特許文献１参照）。
【特許文献１】特開２００６―１８３３１８号公報
【発明の開示】
【発明が解決しようとする課題】
【０００３】
上記の方法により耐震補強を施した柱の外周に例えば、石材を取り付けるなどの仕上げを施す場合には、鋼材パネルに直接仕上げを施すことができないため、耐震補強を施した柱を取り囲むように軟鉄製の部材などを用いて下地壁を設け、この下地壁に仕上げを施していた。このような下地壁は自立する必要があるため、下地壁を構成する部材に径の大きな部材を用いる必要があり、このため、補強を行った柱の径が大きくなってしまい、その分、室内空間が狭くなってしまうという問題があった。
【０００４】
本発明は、上記の問題に鑑みなされたものであり、その目的は、柱の外周の補強パネルを設置し、補強パネル内にグラウトを充填する方法により耐震補強し、耐震補強した柱の仕上げ行う際に、補強を行った柱の径を抑えることである。
【課題を解決するための手段】
【０００５】
本発明の補強を施した柱の仕上げ方法は、上下方向複数段に亘って、複数の補強パネルを補強対象の柱を取り囲むように環状に水平方向に連結し、かつ、上下に位置する前記補強パネルを連結し、前記連結した補強パネルと前記柱の隙間にグラウト材を注入することにより補強を施した柱の仕上げ方法であって、仕上げ材を取り付けるための取付部材を、少なくとも一部の前記補強パネルの外周面に取り付けておき、前記取付部材に仕上げ材を取り付けることを特徴とする。
【０００６】
また、本発明の補強を施した柱の仕上げ材の取付構造は、上下方向複数段に亘って、複数の補強パネルを補強対象の柱を取り囲むように環状に水平方向に連結し、かつ、上下に位置する前記補強パネルを連結し、前記連結した補強パネルと前記柱の隙間にグラウト材を注入することにより補強を施した柱に仕上げ材を取り付ける構造であって、少なくとも一部の前記補強パネルの外周面に取り付けられた取付部材を備え、前記取付部材に前記仕上げ材が取り付けられていることを特徴とする。
【０００７】
上記の構造において、前記取付部材は、板材を挟み込み可能な取付部を備え、前記取付部により前記補強パネルの上方の縁を挟みこむことで前記補強パネルに取り付けられていてもよい。また、前記取付部材は、前記補強パネルにビス止めされていてもよい。また、前記取付部材は、前記補強パネルに接着剤により取り付けられていてもよい。
【発明の効果】
【０００８】
補強パネルに固定された取付部材に仕上げ材を取り付ける構成としたことにより、取付部材に作用する荷重が補強を施した柱に伝達されるため、薄型の取付部材であっても、仕上げ材の重量を支持することができる。このため、補強パネルと仕上げ材の間の隙間を抑えることができ、室内を有効利用することができる。
【発明を実施するための最良の形態】
【０００９】
以下、本発明の補強された柱の仕上げ方法の一実施形態を図面を参照しながら詳細に説明する。
図１は、本実施形態の柱の補強方法に用いられる補強パネル１０を示す斜視図である。同図に示すように、補強パネル１０はＬ字型に成形された鋼板からなる。
【００１０】
図２は、柱の補強に用いられる取付部材３０を示す図である。同図に示すように、取付部材３０は、鋼板が断面矩形状に折り曲げられてなる部材本体３２と、部材本体３２との間に隙間が形成されてなる取付部３１とを備え、取付部３１の隙間に補強パネル１０を挟むことにより、取付部材３０を補強パネル１０に取り付けることができる。
【００１１】
以下、上記説明した各部材を用いて柱を耐震補強し、この補強した柱の仕上げを行う方法を図３〜図１１を参照しながら説明する。なお、図３及び図５において、（Ａ）は正面図、（Ｂ）は斜視図であり、各図（Ｂ）において柱１は省略して示す。図４において、（Ａ）は正面図、（Ｂ）は斜視図、（Ｃ）は取付部材を取り付けた様子を拡大して示す鉛直断面図である。また、図６及び図７は斜視図、図８は正面図である。また、図９及び図１０は、夫々図８におけるＡ―Ａ´断面図及びＢ−Ｂ´断面図である。また、図１１は水平断面図である。
【００１２】
まず、図３に示すように、耐震補強の対象となる柱１の外周に最下段の補強パネル１０を配置する。すなわち、床上に４枚の補強パネル１０を、内部に水平視において矩形状の空間を形成し、この空間内に柱１が収容されるように配置する。
【００１３】
次に、図４に示すように、最下段の補強パネル１０により柱１を取り囲むように形成された４面の夫々の両端部近傍の上辺の縁に取付部材３０を取り付ける。この際、取付部材３０は、その取付部３１に補強パネル１０の縁を挟みこむことにより取り付けることができる。
【００１４】
次に、図５に示すように、柱１を取り囲むように２段目の補強パネル１０を配置する。すなわち、１段目と同様に、補強パネル１０を内部に水平視において矩形状の空間を形成し、この空間内に柱１が収容されるように配置する。
【００１５】
このように、補強パネル１０を配置する工程を繰り返しながら、複数段おきに取付部材３０を補強パネル１０に取り付けていく。これにより、図６に示すように、補強パネル１０が柱を取り囲むように筒状に連結され、複数段おきに平面視において補強パネル１０により形成される各辺の両端の近傍に取付部材３０が取り付けられることとなる。
【００１６】
次に、図７に示すように、水平方向に隣接する補強パネル１０の接合部を跨ぐように、長尺な接続パネル２０を補強パネル１０の外側に接着剤により貼付する。これにより、水平方向に隣接する補強パネル１０同士が接合されるとともに、上下方向に配置された補強パネル１０同士も一体に連結されることとなる。
【００１７】
次に、補強対象の柱と、柱を取り囲む補強パネル１０との間にグラウトを充填する。この際、補強パネル１０がグラウトの充填圧により変形などを起こさないように、グラウトの充填圧を支持する必要がある。
【００１８】
そこで、図８〜図１０に示すように、柱１を隔てて対向する側の補強パネル１０の表面に鋼管４０を水平方向に延びるように配置し、対向する面に配置された鋼管４０を鋼棒４３により離間しないように拘束する。なお、図８に示すように、鋼管４０は上下方向に交互に異なる面に当接するように配置されている。
【００１９】
そして、補強パネル１０と柱１との間にグラウト５１を充填する。この際、鋼棒４３により鋼管４０を介して補強パネル１０が支持されることとなり、補強パネル１０の内部にグラウトを充填しても、その充填圧を支持することができる。
【００２０】
上記のようにして充填したグラウト５１が硬化することで、補強パネル１０が補強対象の柱１と一体となり、柱１の耐震補強が完了する。また、各補強パネル１０に取り付けられた取付部材３０は、その一部が埋設された状態でグラウト５１が硬化することにより、これら補強パネル１０及びグラウト５１と一体となる。
【００２１】
次に、耐震補強を行った柱の外周に仕上げを施す。図１１は仕上げを施す方法を説明するための図である。まず、グラウトの充填圧を支持するために取り付けられていた鋼管４０及び鋼棒４３を取り外す。そして、補強パネル１０の各面に取り付けられた取付部材３０に当接するように、補強パネル１０の外周に石膏ボード５０を配置し、石膏ボード５０を取付部材３０の部材本体３２に螺子止めする。また、石膏ボード５０同士が付き合わされる角部には断面Ｌ字型の鉄板下地部材９１を取り付ける。これにより、隣接する石膏ボード５０同士が接続される。このようにして、補強パネル１０を取り囲むように石膏ボード５０を固定し、この石膏ボード５０の表面に適宜壁紙などを貼付する。
以上の工程により、柱１の耐震補強を行い、耐震補強した柱の仕上げを行うことができる。
【００２２】
本実施形態によれば、補強パネル１０に固定された取付部材３０に石膏ボード５０を取り付ける構成としたことにより、取付部材３０に作用する荷重が補強を施した柱に伝達されるため、薄型の取付部材３０であっても、仕上げ材（石膏ボード５０など）の重量を支持することができる。このため、補強パネル１０と石膏ボード５０の間の隙間を抑えることができ、室内を有効利用することができる。
【００２３】
なお、本実施形態では、取付部材を補強パネル１０の各面の角部近傍のみに設ける構成としたが、これに限らず、図１２に示すように、補強パネル１０により補強した柱の水平方向に略全長に亘るような長さを有する取付部材６０を用いることとしてもよい。なお、かかる取付部材６０を用いる場合には、取付部材６０を補強パネル１０に取り付けた状態において、接続パネル２０と取付部材６０とが干渉しないように、取付部材６０の形状を調整するとよい。
【００２４】
また、本実施形態では、取付部材３０の取付部３１に補強パネル１０の縁を収容することにより、取付部材３０を補強パネル１０に取り付けることとしたが、これに限らず、図１３に示すように取付部材７０を補強パネル１０にビス７１により固定する構成としてもよいし、図１４に示すように、取付部材８０を接着剤８１により補強パネル１０に取り付ける構成としてもよい。
【００２５】
また、図１５に示すように、長尺の取付部材９０を上下方向に延びるように取り付ける構成としてもよい。なお、このような場合における取付部材９０を補強パネルに固定する方法は、本実施形態と同様に取付部材に収容部を形成しておき、この収容部内に補強パネルの上方の縁を収容することにより、補強パネルに固定してもよいし、図１４や図１５を参照して説明したように、ビス止めや接着剤により補強パネル１０の外周面に取り付ける構成としてもよい。
【００２６】
また、本実施形態では、取付部材３０に取り付けた石膏ボード５０を取り付け、この石膏ボード５０の表面に仕上げを行うこととしたが、これに限らず、例えば、取付部材３０に直接、壁面仕上げ材の石材を取り付けてもよい。
【００２７】
また、本実施形態では、グラウトを充填する際に、補強パネル１０を支持するために、対向する面に鋼管を当接させ、これら鋼管が離間しないように鋼棒によりこれら鋼管を結ぶものとしたが、これに限らず、補強パネル１０が位置ズレや変形を生じなければその構成は問わない。
【００２８】
また、本実施形態では、水平方向に隣接する補強パネル１０の接合部を跨ぐように、長尺の接続パネル２０を貼付することにより、水平方向に隣接する補強パネル１０を水平方向に接合するとともに、上下方向に隣接する補強パネル１０を接合するものとしたが、補強パネル１０の接合方法はこれに限らず、溶接接続などの方法を用いてもよい。
【００２９】
また、本実施形態では、Ｌ型に成形された４枚の補強パネル１０を接続することにより、柱の外周を取り囲むこととしたが、これに限らず、コの字型に成形された２枚の補強パネルを接続することにより柱の外周を取り囲むこととしてもよく、複数の補強パネルを水平方向に接続することで、柱の外周を取り囲むことができれば、その形状は問わない。
【図面の簡単な説明】
【００３０】
【図１】柱の補強に用いられる補強パネルを示す斜視図である。
【図２】柱の補強に用いられる取付部材を示す図である。
【図３】耐震補強の対象となる柱の外周に最下段の補強パネルを配置した状態を示す図であり、（Ａ）は正面図、（Ｂ）は斜視図である。
【図４】最下段の補強パネルに取付部材を取り付けた状態を示す図であり、（Ａ）は正面図、（Ｂ）は斜視図である。
【図５】２段目の補強パネルを取り付けた状態を示す図であり、（Ａ）は正面図、（Ｂ）は斜視図である。
【図６】補強パネルの取付が完了した状態を示す斜視図である。
【図７】接続パネルの取付が完了した状態を示す斜視図である。
【図８】グラウトの充填圧を支持するための機構を設けた状態を示す正面図である。
【図９】図８におけるＡ−Ａ´断面図である。
【図１０】図８におけるＢ−Ｂ´断面図である。
【図１１】石膏ボードを取り付けた状態を示す水平断面図である。
【図１２】補強した柱の水平方向に略全長に亘るような長さを有する取付部材を用いた場合の柱を示し、（Ａ）は正面図、（Ｂ）は鉛直断面図である。
【図１３】取付部材を補強パネルにビスにより固定した場合の柱を示し、（Ａ）は正面図、（Ｂ）は鉛直断面図である。
【図１４】取付部材を接着剤により補強パネルに取り付けた場合の柱を示し、（Ａ）は正面図、（Ｂ）は鉛直断面図である。
【図１５】長尺の取付部材を上下方向に延びるように取り付けた場合の柱を示し、（Ａ）は正面図、（Ｂ）は鉛直断面図である。
【符号の説明】
【００３１】
１  柱
１０  補強パネル
２０  接続パネル
３０、６０、７０、８０、９０  取付部材
３１  取付部
５０  石膏ボード
５１  グラウト
【図１】
2010059675.tif 000003
【図２】
2010059675.tif 000004
【図３】
2010059675.tif 000005
【図４】
2010059675.tif 000006
【図５】
2010059675.tif 000007
【図６】
2010059675.tif 000008
【図７】
2010059675.tif 000009
【図８】
2010059675.tif 000010
【図１２】
2010059675.tif 000011
【図９】
2010059675.tif 000012
【図１０】
2010059675.tif 000013
【図１１】
2010059675.tif 000014
【図１３】
2010059675.tif 000015
【図１４】
2010059675.tif 000016
【図１５】
2010059675.tif 000017